(57)【要約】【課題】簡単な構造で入浴者に負担をかけることなく、容易に浴室の様子をチェックすることができる浴室給湯装置を提供すること。【解決手段】浴室内のリモコン装置２１と浴室外のリモコン装置２２との間で相互に通話が可能なインターホン機能を備えた浴室給湯装置において、浴室内のリモコン装置２１を送信状態、浴室外のリモコン装置２２を受信状態に固定する聞き取りスイッチ２３を浴室外のリモコン装置２２に設ける。【選択図】　図１
2004116830.tif 000002
【特許請求の範囲】
【請求項１】
浴室内のリモコン装置と浴室外のリモコン装置との間で相互に通話が可能なインターホン機能を備えた浴室給湯装置において、浴室内のリモコン装置を送信状態、浴室外のリモコン装置を受信状態に固定する聞き取りスイッチを浴室外のリモコン装置に設けたことを特徴とする浴室給湯装置。
【請求項２】
聞き取りスイッチの作動状態を入浴者に視認させる表示装置を浴室内のリモコン装置に設けたことを特徴とする請求項１記載の浴室給湯装置。
【請求項３】
聞き取りスイッチが作動しなくなる禁止スイッチを浴室内のリモコン装置に設けたことを特徴とする請求項１又は２記載の浴室給湯装置。
【発明の詳細な説明】
【０００１】
【発明の属する技術分野】
本発明は、インターホン機能を備えた浴室給湯装置に関し、特に、簡単な構造で入浴者に負担をかけることなく、容易に浴室の様子をチェックすることができる浴室給湯装置に関するものである。
【０００２】
【従来の技術】
近年の高齢者社会の中で入浴中の事故が懸念されるため、例えば、特開平２００１−１３３０４０号公報では、入浴中の異常事態を検知する機能を備えた風呂給湯器が提案されている。
この浴室給湯装置は、給湯器本体と、台所に設置された浴室外のリモコン装置と、浴室に設置された浴室内のリモコン装置と、給湯器本体の運転を制御する制御部とを備えている。
浴室外のリモコン装置と浴室内のリモコン装置は、それぞれ制御部と通信手段により通信することが可能であり、また、各リモコン装置からは給湯器の運転を操作することができる。
【０００３】
浴室内のリモコン装置には浴室監視センサが備えられており、この浴室監視センサには、浴室内のリモコン装置に付設される非接触型のセンサや、浴槽の壁面に設置される接触型センサ、人体に取り付けられるセンサ等が使用されている。
これらのセンサは、浴室内の人の動きや生理状況を感知して信号を制御部に送り、制御部はこの信号に基づいて入浴者の転倒や身体機能の変化等を判断する。
制御部でこのような判断がなされると、浴室外のリモコン装置から警報を発し、台所にいる居住者に入浴者に異常が生じたことを報知する。
【０００４】
【発明が解決しようとする課題】
しかしながら、上記従来の浴室給湯装置は、浴室監視センサとして、浴室内のリモコン装置に付設される非接触型のセンサや、浴槽の壁面に設置される接触型センサ、人体に取り付けられるセンサ等が使用されることから、浴室給湯装置の構造が著しく複雑になる上に、入浴者にとっても事前の準備が必要となり非常に使い勝手が悪いという問題を有している。
【０００５】
本発明は、上記従来の浴室給湯装置が有する問題点に鑑み、簡単な構造で入浴者に負担をかけることなく、容易に浴室の様子をチェックすることができる浴室給湯装置を提供することを目的とする。
【０００６】
【課題を解決するための手段】
上記目的を達成するため、本発明の浴室給湯装置は、浴室内のリモコン装置と浴室外のリモコン装置との間で相互に通話が可能なインターホン機能を備えた浴室給湯装置において、浴室内のリモコン装置を送信状態、浴室外のリモコン装置を受信状態に固定する聞き取りスイッチを浴室外のリモコン装置に設けたことを特徴とする。
【０００７】
この浴室給湯装置は、浴室内のリモコン装置を送信状態、浴室外のリモコン装置を受信状態に固定する聞き取りスイッチを浴室外のリモコン装置に設けることから、老人や子供を入浴させている時の様子を音でうかがい知ることができ、これにより、簡単な構造で、入浴者に負担をかけることなく容易に浴室の様子をチェックすることができる。
そして、浴室で生じる音により入浴者の様子をチェックすることから、聞かれる側のプライバシーを保護することができる。
【０００８】
この場合において、聞き取りスイッチの作動状態を入浴者に視認させる表示装置を浴室内のリモコン装置に設けることができる。
【０００９】
これにより、入浴者に聞き取り状態にあることを認識させ、不本意な音の漏れを防止し、入浴者のプライバシーをより完全に守ることができる。
【００１０】
また、聞き取りスイッチが作動しなくなる禁止スイッチを浴室内のリモコン装置に設けることができる。
【００１１】
これにより、不本意な音の漏れを防止し、入浴者のプライバシーをより完全に守ることができる。
【００１２】
【発明の実施の形態】
以下、本発明の浴室給湯装置の実施の形態を図面に基づいて説明する。
【００１３】
図１〜図２に、本発明の浴室給湯装置の一実施例を示す。
この浴室給湯装置は、浴室内のリモコン装置２１と浴室外のリモコン装置２２との間で相互に通話が可能なインターホン機能を備え、浴室内のリモコン装置２１を送信状態、浴室外のリモコン装置２２を受信状態に固定する聞き取りスイッチ２３を浴室外のリモコン装置２２に設けている。
【００１４】
浴室内のリモコン装置２１には、聞き取りスイッチ２３の作動状態を入浴者に視認させる表示装置２４が設けられており、これにより、入浴者に聞き取り状態にあることを認識させ、不本意な音の漏れを防止し、入浴者のプライバシーをより完全に守るように配慮している。
さらに、浴室内のリモコン装置２１には、聞き取りスイッチ２３が作動しなくなる禁止スイッチ２５が設けられており、これにより、不本意な音の漏れを防止し、入浴者のプライバシーをより完全に守るように配慮している。
【００１５】
一方、本実施例では、浴室給湯装置として貯湯式電気温水器を使用している。
この貯湯式電気温水器は、図２〜図５に示すように、貯湯槽１に配設した熱交換器２に、貯湯槽１の外部から供給される浴槽の湯等の熱媒を循環用ポンプ３により循環させて加温するもので、貯湯槽１の下方に空間部４を形成し、該空間部４に循環用ポンプ３を配設している。
【００１６】
円筒状の貯湯槽１の下部には、貯湯槽１内の水を設定温度まで加温するための下部ヒータ５が配設されている。
この下部ヒータ５は、貯湯槽１内に供給される水を全体的に加熱するもので、下部ヒータ５の上方では、水が対流しながら加熱される一方、下部ヒータ５の下方では、水の対流は生じず、比較的低い温度の水がプールされる。
【００１７】
また、貯湯槽１には、その底部位置に給水管６と排水管７が、上部位置に出湯管８がそれぞれ設けられており、給水管６から給水することにより貯湯槽１内の湯を押し上げるようにして、出湯管８から出湯するようにしている。
【００１８】
熱交換器２は、螺旋状に形成した管からなり、貯湯槽１の上部に配設されている。
この熱交換器２は、２本の配管９、１０を介して浴槽（図示省略）と接続されており、浴槽内と熱交換器２との間で浴槽内の湯が循環するようになっている。
この場合、浴槽と熱交換器２の間の湯の循環は、前記循環用ポンプ３により行われ、これにより、浴槽内の湯の追い焚きが行われる。
【００１９】
一方、循環用ポンプ３は、脚部１１により、貯湯槽１を所定の高さに支持することによって形成した空間部４に、貯湯槽１の前面側で、Ｖ字状に配設された給水管６と排水管７の間に位置するように配設されている。
そして、この循環用ポンプ３の配管９は、貯湯槽１の外周を、カバー１３とともに取り囲む断熱材１２の内側に配設されている。
【００２０】
かくして、本実施例の浴室給湯装置は、浴室内のリモコン装置２１を送信状態、浴室外のリモコン装置２２を受信状態に固定する聞き取りスイッチ２３を浴室外のリモコン装置２２に設けることから、老人や子供を入浴させている時の様子を音でうかがい知ることができ、これにより、簡単な構造で、入浴者に負担をかけることなく容易に浴室の様子をチェックすることができる。
そして、浴室で生じる音により入浴者の様子をチェックすることから、聞かれる側のプライバシーを保護することができる。
【００２１】
以上、本発明の実施例を説明したが、本発明の浴室給湯装置の構成は、この実施例の記載に限定されるものではなく、その趣旨を逸脱しない範囲において適宜に変更することが可能である。
【００２２】
【発明の効果】
本発明の浴室給湯装置によれば、浴室内のリモコン装置を送信状態、浴室外のリモコン装置を受信状態に固定する聞き取りスイッチを浴室外のリモコン装置に設けることから、老人や子供を入浴させている時の様子を音でうかがい知ることができ、これにより、簡単な構造で、入浴者に負担をかけることなく容易に浴室の様子をチェックすることができる。
そして、浴室で生じる音により入浴者の様子をチェックすることから、聞かれる側のプライバシーを保護することができる。
【００２３】
この場合、聞き取りスイッチの作動状態を入浴者に視認させる表示装置を浴室内のリモコン装置に設けることにより、入浴者に聞き取り状態にあることを認識させ、不本意な音の漏れを防止し、入浴者のプライバシーをより完全に守ることができる。
【００２４】
また、聞き取りスイッチが作動しなくなる禁止スイッチを浴室内のリモコン装置に設けることにより、不本意な音の漏れを防止し、入浴者のプライバシーをより完全に守ることができる。
【図面の簡単な説明】
【図１】本発明の浴室給湯装置の浴室内のリモコン装置と浴室外のリモコン装置の一実施例を示す正面図である。
【図２】同実施例の浴室給湯装置を示す正面透視図である。
【図３】同側面透視図である。
【図４】同平面透視図である。
【図５】同正面図である。
【符号の説明】
１　　貯湯槽
２　　熱交換器
３　　循環用ポンプ
４　　空間部
５　　下部ヒータ
６　　給水管
７　　排水管
８　　出湯管
９　　配管
１０　配管
１１　脚部
１２　断熱材
１３　カバー
２１　浴室内のリモコン装置
２２　浴室外のリモコン装置
２３　聞き取りスイッチ
２４　表示装置
２５　禁止スイッチ
【図１】
2004116830.tif 000003
【図２】
2004116830.tif 000004
【図３】
2004116830.tif 000005
【図４】
2004116830.tif 000006
【図５】
2004116830.tif 000007